(57)【要約】【課題】  作業者による設定ミスを削減可能な監視サーバを提供する。【解決手段】  監視サーバ（７）は、伝送装置が隣接装置との装置間接続を1対1で接続して通信を行う装置間通信システムにおいて伝送装置及び隣接装置を監視する。監視サーバ（７）は、伝送装置及び隣接装置の監視結果に基づいて伝送装置及び隣接装置の設定情報を更新する手段（装置監視部７２）と、伝送装置が隣接装置との情報交換により仮設定を行った後に当該設定情報を送信する手段（設定情報送信部７３）とを有し、伝送装置及び隣接装置に対して設定情報を自装置の設定に上書きさせている。【選択図】      図１
2013187653.tif 000002
【特許請求の範囲】
【請求項１】
伝送装置が隣接装置との装置間接続を1対1で接続して通信を行う装置間通信システムであって、
前記伝送装置は、前記隣接装置との情報交換により仮設定を行う手段を有し、
前記伝送装置及び前記隣接装置を監視する監視サーバは、前記伝送装置及び前記隣接装置の監視結果に基づいて前記伝送装置及び前記隣接装置の設定情報を更新する手段を有し、
前記伝送装置及び前記隣接装置が、前記監視サーバからの設定情報を自装置の設定に上書きすることを特徴とする装置間通信システム。
【請求項２】
前記監視サーバは、前記伝送装置と前記隣接装置との間がクローズド接続された後に前記隣接装置の設定情報を前記伝送装置に送信し、前記伝送装置から当該設定情報を前記隣接装置に転送させて前記隣接装置の再設定を行うことを特徴とする請求項１記載の装置間通信システム。
【請求項３】
前記監視サーバは、前記隣接装置の再設定を、システムを構成する伝送装置に対して順次行うことで当該装置の監視を行うことを特徴とする請求項２記載の装置間通信システム。
【請求項４】
伝送装置が隣接装置との装置間接続を1対1で接続して通信を行う装置間通信システムにおいて前記伝送装置及び前記隣接装置を監視する監視サーバであって、
前記伝送装置及び前記隣接装置の監視結果に基づいて前記伝送装置及び前記隣接装置の設定情報を更新する手段と、前記伝送装置が前記隣接装置との情報交換により仮設定を行った後に当該設定情報を送信する手段とを有し、
前記伝送装置及び前記隣接装置に対して前記設定情報を自装置の設定に上書きさせることを特徴とする監視サーバ。
【請求項５】
前記伝送装置と前記隣接装置との間がクローズド接続された後に前記隣接装置の設定情報を前記伝送装置に送信し、前記伝送装置から当該設定情報を前記隣接装置に転送させて前記隣接装置の再設定を行わせることを特徴とする請求項４記載の監視サーバ。
【請求項６】
前記隣接装置の再設定を、システムを構成する伝送装置に対して順次行うことで当該装置の監視を行うことを特徴とする請求項５記載の監視サーバ。
【請求項７】
伝送装置が隣接装置との装置間接続を1対1で接続して通信を行う装置間通信システムに用いる装置間通信設定方法であって、
前記伝送装置が、前記隣接装置との情報交換により仮設定を行う処理を実行し、
前記伝送装置及び前記隣接装置を監視する監視サーバが、前記伝送装置及び前記隣接装置の監視結果に基づいて前記伝送装置及び前記隣接装置の設定情報を更新する処理を実行し、
前記伝送装置及び前記隣接装置が、前記監視サーバからの設定情報を自装置の設定に上書きすることを特徴とする装置間通信設定方法。
【請求項８】
前記監視サーバが、前記伝送装置と前記隣接装置との間がクローズド接続された後に前記隣接装置の設定情報を前記伝送装置に送信し、前記伝送装置から当該設定情報を前記隣接装置に転送させて前記隣接装置の再設定を行うことを特徴とする請求項７記載の装置間通信設定方法。
【請求項９】
前記監視サーバが、前記隣接装置の再設定を、システムを構成する伝送装置に対して順次行うことで当該装置の監視を行うことを特徴とする請求項８記載の装置間通信設定方法。
【発明の詳細な説明】
【技術分野】
【０００１】
本発明は装置間通信システム、監視サーバ及びそれらに用いる装置間通信設定方法に関し、特に装置間通信を行う伝送装置における設定情報の登録に関する。
【背景技術】
【０００２】
伝送装置では、隣接装置との通信を行うために、図６に示す各層２０１〜２０４のうちの物理層２０１の設定、２層２０２の設定及び３層２０３の設定を行う必要があるが、２層２０２及び３層２０３の設定ミスでは警報や警告が上がらず問題となることが多い。
【０００３】
また、伝送装置は、監視されていない状況が最小になる必要があるため、作業中監視されているものを中心に考えて設定していくことが重要となるための解決策を提供することにある。
【０００４】
上記のような伝送装置を用いるシステムとしては、下記の特許文献１に記載されたような光伝送システムがある。
【先行技術文献】
【特許文献】
【０００５】
【特許文献１】特開２００８−１１３３４４号公報
【発明の概要】
【発明が解決しようとする課題】
【０００６】
本発明に関連する光伝送システムでは、図５に示すような構成において、作業員１０１が伝送装置ＮＥ１と伝送装置ＮＥ２との接続を設定する際に、伝送装置ＮＥ１，ＮＥ２の設定が図６に示す各層２０１〜２０４で一致していないと、通信を行うことができない。
【０００７】
しかしながら、上記の光伝送システムでは、図６に示すように、迂回経路２０６が存在する場合、３層２０３、アプリ層２０４を用いた導通確認だけであれば、迂回経路２０６経由で応答が確認できるため、つまり図５に示す経路１０２に障害があり、想定経路１０３に対して実際の経路１０４となっていても、誤設定に気付くことができずに障害箇所の特定に時間がかかるという問題がある。
【０００８】
そこで、本発明の目的は上記の問題点を解消し、作業者による設定ミスを削減することができる装置間通信システム、監視サーバ及びそれらに用いる装置間通信設定方法を提供することにある。
【課題を解決するための手段】
【０００９】
本発明による装置間通信システムは、伝送装置が隣接装置との装置間接続を1対1で接続して通信を行う装置間通信システムであって、
前記伝送装置は、前記隣接装置との情報交換により仮設定を行う手段を備え、
前記伝送装置及び前記隣接装置を監視する監視サーバは、前記伝送装置及び前記隣接装置の監視結果に基づいて前記伝送装置及び前記隣接装置の設定情報を更新する手段を備え、
前記伝送装置及び前記隣接装置が、前記監視サーバからの設定情報を自装置の設定に上書きしている。
【００１０】
本発明による監視サーバは、伝送装置が隣接装置との装置間接続を1対1で接続して通信を行う装置間通信システムにおいて前記伝送装置及び前記隣接装置を監視する監視サーバであって、
前記伝送装置及び前記隣接装置の監視結果に基づいて前記伝送装置及び前記隣接装置の設定情報を更新する手段と、前記伝送装置が前記隣接装置との情報交換により仮設定を行った後に当該設定情報を送信する手段とを備え、
前記伝送装置及び前記隣接装置に対して前記設定情報を自装置の設定に上書きさせている。
【００１１】
本発明による装置間通信設定方法は、伝送装置が隣接装置との装置間接続を1対1で接続して通信を行う装置間通信システムに用いる装置間通信設定方法であって、
前記伝送装置が、前記隣接装置との情報交換により仮設定を行う処理を実行し、
前記伝送装置及び前記隣接装置を監視する監視サーバが、前記伝送装置及び前記隣接装置の監視結果に基づいて前記伝送装置及び前記隣接装置の設定情報を更新する処理を実行し、
前記伝送装置及び前記隣接装置が、前記監視サーバからの設定情報を自装置の設定に上書きしている。
【発明の効果】
【００１２】
本発明は、上記のような構成及び動作とすることで、作業者による設定ミスを削減することができるという効果が得られる。
【図面の簡単な説明】
【００１３】
【図１】本発明の実施の形態による監視サーバの構成例を示すブロック図である。
【図２】本発明の実施の形態による伝送装置の構成例を示すブロック図である。
【図３】本発明の実施の形態による装置間通信システム（光伝送システム）の構成例を示すブロック図である。
【図４】本発明の実施の形態による装置間通信システムにおける各伝送装置の設定処理を示すシーケンスチャートである。
【図５】本発明に関連する光伝送システムの構成例を示すブロック図である。
【図６】本発明に関連する光伝送システムにおける通信設定を説明するための図である。
【発明を実施するための形態】
【００１４】
次に、本発明の実施の形態について図面を参照して説明する。まず、本発明による装置間通信システムの概要について説明する。本説明は、光伝送システムにおける監視システムにおいて、作業員のミスによる回線切断を未然に防ぐことを特徴としている。
【００１５】
伝送装置では、装置間接続が1対1接続であることを利用し、隣接装置と情報交換を行い、各層の仮設定を行う。その後、上位の監視サーバより、各伝送装置の隣接装置との接続状況に基づいた各装置の正しい設定を装置各々に上書きすることで、誤設定を防ぎ、正しいネットワーク構築を可能としている。
【００１６】
図１は本発明の実施の形態による監視サーバの構成例を示すブロック図であり、図２は本発明の実施の形態による伝送装置の構成例を示すブロック図であり、図３は本発明の実施の形態による装置間通信システム（光伝送システム）の構成例を示すブロック図である。
【００１７】
本発明の実施の形態による装置間通信システムは、図３に示すように、伝送装置ＮＥ１〜ＮＥ６と、監視サーバ７とから構成されている。監視サーバ７は、図１に示すように、監視要求送信部７１と、装置監視部７２と、設定情報送信部７３と、設定情報記憶部７４とを備え、各伝送装置ＮＥ１〜ＮＥ６は、監視要求受信部１１と、装置間接続部１２と、設定情報管理部１３と、設定情報記憶部１４とを備えている。
【００１８】
尚、図１及び図２においては、本発明に関連する部分のみを図示しており、伝送装置ＮＥ１〜ＮＥ６及び監視サーバ７の一般的な構成については省略している。
【００１９】
監視サーバ７の監視要求送信部７１は、伝送装置ＮＥ１〜ＮＥ６に対して監視要求を送信し、伝送装置ＮＥ１〜ＮＥ６の監視を開始する。装置監視部７２は、オープンネットワークに登録された装置に対して監視パケットを送信し、当該装置の監視を開始するとともに、監視結果に基づいて設定情報記憶部７４に登録された設定情報の更新を行う。
【００２０】
設定情報送信部７３は、隣接装置との装置間だけで独立したクローズド設定が確立された装置に対して設定情報を送信する。設定情報記憶部７４は、各伝送装置ＮＥ１〜ＮＥ６（オープンネットワークに登録された装置）の設定情報を記憶する。
【００２１】
各伝送装置ＮＥ１〜ＮＥ６の監視要求受信部１１は、監視サーバ７からの監視要求を受信すると、被監視状態に移行したことを検知する。装置間接続部１２は、被監視状態に移行した際に、隣接装置との装置間だけで独立したクローズド設定を確立するための情報を送信し、隣接装置とのクローズド接続を確立する。また、装置間接続部１２は、隣接装置からクローズド設定を確立するための情報を受信すると、そのクローズド設定を行い、クローズド設定が完了したことを隣接装置に通知する。
【００２２】
設定情報管理部１３は、クローズド接続が確立したことを監視サーバ７に対して報告した後に、監視サーバ７から隣接装置の設定情報を受信すると、その情報を隣接装置に送信し、監視サーバ７から、または隣接装置から自装置の設定情報を受信すると、その情報にて設定情報記憶部１４に記憶するとともに、その情報に基づいて装置間通信の再設定を行う。
【００２３】
図３に示す伝送装置ＮＥ１〜ＮＥ６に対する設定は、監視サーバ７から監視されることを目的として設定される。作業者は、各伝送装置ＮＥ１〜ＮＥ６に対して初期設定として、図６に示す物理層２０１の設定を実施する。物理層２０１では、接続に失敗した際に警報が発出されるため、作業者が誤設定に気付くことができる。
【００２４】
次に、監視サーバ７よりオープンネットワークを経由して監視が開始された伝送装置ＮＥ１は、隣接装置ＮＥ２，ＮＥ６と1対1接続であることを利用し、オープンネットワークから独立することで、他の装置への影響のないクローズドな接続を確立する。
【００２５】
続いて、伝送装置ＮＥ１は、隣接装置ＮＥ２，ＮＥ６とクローズド接続を確立したことを監視サーバ７に通知し、監視サーバ７より隣接装置ＮＥ２，ＮＥ６の設定情報を取得する。伝送装置ＮＥ１は、隣接装置ＮＥ２，ＮＥ６に設定情報を転送する。
【００２６】
隣接装置ＮＥ２，ＮＥ６は、伝送装置ＮＥ１より設定情報を受信すると、その設定情報により再設定を行ってオープンネットワークに接続され、監視サーバ７から直接監視が行われる。
【００２７】
本実施の形態では、以上の動作を繰返し実行することで、装置同士が接続されている区間において、各装置に対して最小限の設定で監視サーバ７からの監視を開始することが可能となる。
【００２８】
図４は本発明の実施の形態による装置間通信システムにおける各伝送装置の設定処理を示すシーケンスチャートである。これら図１〜図４を参照して本発明の実施の形態による装置間通信システムにおける各伝送装置の設定処理について説明する。
【００２９】
監視サーバ７は、伝送装置ＮＥ１に対して監視要求を送信し（図４のＡ１）、伝送装置ＮＥ１の監視を開始する。伝送装置ＮＥ１は、監視サーバ７からの被監視状態に移行したことを検知し、隣接する伝送装置ＮＥ２との装置間だけで独立したクローズド設定を確立するための情報を送信する（図４のＡ２）。
【００３０】
隣接する伝送装置ＮＥ２は、伝送装置ＮＥ１からの設定情報を受信すると、クローズド設定を行い、クローズド設定が完了したことを伝送装置ＮＥ１に対して通知する（図４のＡ３）。
【００３１】
伝送装置ＮＥ１は、隣接する伝送装置ＮＥ２とのクローズド接続が確立したことを監視サーバ７に対して報告し（図４のＡ４）、隣接する伝送装置ＮＥ２の設定情報を監視サーバ７から受信する（図４のＡ５）。
【００３２】
次に、伝送装置ＮＥ１は、隣接する伝送装置ＮＥ２に対して、クローズド接続を使って監視サーバ７からの設定情報を送信する（図４のＡ６）。隣接する伝送装置ＮＥ２は、伝送装置ＮＥ１から受信した設定情報で再設定を行い、オープンネットワークに参加する。監視サーバ７は、登録された伝送装置ＮＥ２に対して監視パケットを送信し、伝送装置ＮＥ２の監視を開始する。
【００３３】
以降、監視サーバ７及び伝送装置ＮＥ１〜ＮＥ６は、上記と同様の動作を繰返し（図４のＡ７〜Ａ１３）、伝送装置ＮＥ１、伝送装置ＮＥ２、伝送装置ＮＥ３、・・・、伝送装置ＮＥ６と、全ての装置が自動的に監視サーバ７から監視可能となる。
【００３４】
例えば、図５に示す伝送装置ＮＥ１と伝送装置ＮＥ２との経路１０２に障害が発生しても、伝送装置ＮＥ１から伝送装置ＮＥ６，ＮＥ５，ＮＥ４，ＮＥ３を経由する実際の経路１０４を、監視サーバ７からの設定情報にて伝送装置ＮＥ１〜ＮＥ６に再設定することができる。
【００３５】
つまり、本実施の形態では、伝送装置ＮＥ１〜ＮＥ６における装置間接続が1対1接続であることを利用し、隣接装置と情報交換を行い、各層の仮設定を行った後、上位の監視サーバ７より各伝送装置ＮＥ１〜ＮＥ６の正しい設定を上書きすることで、誤設定を防ぎ、正しいネットワークを構築することができる。
【００３６】
このように、本実施の形態では、作業者による設定ミスを削減することができる。また、本実施の形態では、伝送装置ＮＥ１〜ＮＥ６に対して自動的に設定を変更することで、作業者の作業を削減することできる。さらに、本実施の形態では、監視サーバ７からの被監視状態をトリガーとすることで、オペレータの監視下で設定作業を実施することができる。
【００３７】
尚、本発明では、オペレータが設定変更を実施した場合に、対向装置からの情報を基に設定の差分について警告を行う機能を持つことができる。また、本発明では、誤設定や移転作業中に遠隔地まで行くことなしに、遠隔地の装置の設定を変更することが可能となる。
【産業上の利用可能性】
【００３８】
本発明は、同一の機能を持つ伝送装置で構成されるネットワーク、例えば光伝送システムに適用することが可能である。
【符号の説明】
【００３９】
ＮＥ１〜ＮＥ６  伝送装置
７  監視サーバ
１１  監視要求受信部
１２  装置間接続部
１３  設定情報管理部
１４，７４  設定情報記憶部
７１  監視要求送信部
７２  装置監視部
７３  設定情報送信部
【図１】
2013187653.tif 000003
【図２】
2013187653.tif 000004
【図３】
2013187653.tif 000005
【図４】
2013187653.tif 000006
【図５】
2013187653.tif 000007
【図６】
2013187653.tif 000008